(57)【要約】【課題】  底板上に前後左右の側板を簡単に折り畳むことができると共に空にした組み立て箱内に折り畳んだ複数の箱を積み重ね状態となるように容易に収納することができ、搬送や保管等が整然と行える通い箱として適した物品収納箱を提供する。【解決手段】  底板１とこの底板の前後左右の縁辺にそれぞれ可撓性を有するヒンジシート部材6a、6b、6c、6dによって起立、伏倒自在に連結している前後左右の側板２〜５とからなり、底板上に前後左右の側板の折り重ねが可能となるように、底板と前後左右の側板との対向端面間を一定の間隔を存して対向させた状態で上記ヒンジシート部材6a、6b、6c、6dによって連結していると共に、組み立てた際にこのヒンジシート部材6a、6b、6c、6dによって面積及び容積を拡げて折り畳んだ箱の収納が容易に行えるように構成している。【選択図】    図１
2016147674.tif 000002
【特許請求の範囲】
【請求項１】
矩形状の底板と、この底板の前後左右の縁辺にそれぞれ可撓性を有するヒンジシート部材によって起立、伏倒自在に連結している前後左右の側板とからなり、底板上に前後左右の側板の折り重ねが可能となるように、底板と前後左右の側板との対向端面間を一定の間隔を存して対向させた状態で上記ヒンジシート部材によって連結していると共に、隣接する側板の対向側端縁間を止め具によって分離可能に連結していることを特徴とする物品収納箱。
【請求項２】
底板と前後左右の側板との対向端面を側板の厚み以上の間隔を存して対向させていると共に、底板の上面における四方の縁辺部と、これらの縁辺部にそれぞれ対向する前後左右の側板の内面における縁辺部とをヒンジシート部材によって連結していることを特徴とする請求項１に記載の物品収納箱。
【請求項３】
底板及び前後左右の側板は発泡合成樹脂板であり、ヒンジシート部材は布帛であることを特徴とする請求項１または請求項２に記載の物品収納箱。
【請求項４】
前後左右の側板の両側端部に、これらの側板の両側端面からヒンジシート部材と同じ幅でもって突出したファスナテープを取付けてあり、このファスナテープの突出端縁にスライダーによって係脱する務歯を設けていることを特徴とする請求項１、請求項２又は請求項３に記載の物品収納箱。
【発明の詳細な説明】
【技術分野】
【０００１】
本発明は、衣類や部品等の各種の物品を収納して輸送、保管するための物品収納箱、特に、各種物品を目的場所まで運送した後、空箱を送り返し、繰り返し使用することができる通い箱として最適な折り畳み可能な物品収納箱に関する。
【背景技術】
【０００２】
従来から通い箱としては、軽量で安価な段ボール箱が広く使用されているが、木製や樹脂製の箱に比べて破損し易く、耐久性に劣るために繰り返しの使用が困難になり、また、折り畳むと、天面と底面を形成するフラップが胴部を形成している四方の側面から外方に展開した状態となって比較的広い保管場所等が必要となる。さらに、組み立てて内部に物品を収納した後に天面と蓋面とを形成するフラップをテープ等によって固定しなければならず、手間を要するといった問題点がある。
【０００３】
このため、例えば、特許文献１に記載されているように、合成樹脂や木材等の薄板からなる底部と、前後左右の側部と、上蓋部とからなり、底部の四方の縁部に前後左右の側板を起立、伏倒自在に連結すると共に上蓋部を後側側部に折り曲げ自在に連結し、さらに、前後左右の側部のつなぎ目をファスナによって開閉可能に構成している通い箱が開発されている。
【０００４】
この通い箱によれば、合成樹脂や木材等の薄板からなるために、耐久性に優れて繰り返しの使用に耐えることができると共に、前後左右の側部のつなぎ目をファスナによって閉止すれば、隣接する側部同士が結合されて通し箱を簡単に組み立てることができるといった利点を有する。
【先行技術文献】
【特許文献】
【０００５】
【特許文献１】特開２００９−２９８４３３号公報
【発明の概要】
【発明が解決しようとする課題】
【０００６】
しかしながら、上記通い箱によれば、底部に対して前後左右の側部を起伏自在に連結するには、例えば、底部の四方端縁部とこの四方端縁部にそれぞれ連らなる前後左右の端縁部との連設部に断面Ｖ字状等の溝からなる折り目を設けるか、或いは、底部の表面を被覆している布と、前後左右の側部の表面を被覆している布とを、底部の四方端面とこの四方端面にそれぞれ突き合わせ状に対向させている前後左右の側部との対向面間で一体に連続させてその布の連続部を折り目とした連結構造を採用している。
【０００７】
このため、底部に対して前後左右の側部を、断面Ｖ字状等の溝からなる折り目によって起伏自在に連結した構造にすると、前後左右の側部を起立させたり、底部に対して展開する方向に伏倒することができても、底部上に折り畳むことができず、折り畳むには上記断面Ｖ字状等の溝をさらに大きく開かせながら側部を底部の下面側に折り畳まねばならなくなって折り畳み作業が煩雑化するばかりでなく、折り目が短期間で破断されるといった問題点がある。
【０００８】
一方、底部と前後左右の側部との対向面間の隙間を上記布からなる折り目を介して連結した構造によれば、布を撓ませながら底部に対して前後左右の側部を起立させたり、底部上に折り畳むことが可能となるが、折り目の幅が前後左右の側部の厚みに比して極めて小さいために、底部上に前後左右の側部を順次折り重ねることができない。底部と前後左右の側部とを柔軟性を有する材料によって形成しておけば、底部と前後左右の側部との対向端部を湾曲、変形させながら折り重ねることが可能になるが、そうすると、通い箱を積み重ねた場合、その積載荷重によって下方の通い箱が圧縮変形して収納物が損傷する虞れがあるばかりでなく、安定した積み重ねが困難となる。
【０００９】
また、通い箱内に各種物品を収納して目的場所まで運送した後、空箱を送り返す際に、一つの空の通い箱内に、折り畳んだ複数の通い箱を上下方向に積層状態に収納して折り返し搬送しようとしても、空の通い箱と折り畳んだ通い箱との間に、収納が容易に行えるだけの隙間が設けられていないために、嵩張ることなく整然と収納しておくことが困難となり、雑然と積み重ねた状態で搬送せざるを得ないといった問題点があった。
【００１０】
本発明はこのような問題点に鑑みてなされたもので、その目的とするところは、組み立てや折り畳みが簡単に行える通い箱として最適な物品収納箱を提供することができるのは勿論、折り畳む際には底板上に前後左右の側板を積層状態に折り重ねることができ、さらに、空の箱内に折り畳んだ複数の箱を積み重ね状態となるように容易に収納することができ、搬送や保管等が整然と行える物品収納箱を提供するにある。
【課題を解決するための手段】
【００１１】
上記目的を達成するために本発明の物品収納箱は、請求項１に記載したように、矩形状の底板と、この底板の前後左右の縁辺にそれぞれ可撓性を有するヒンジシート部材によって起立、伏倒自在に連結している前後左右の側板とからなり、底板上に前後左右の側板の折り重ねが可能となるように、底板と前後左右の側板との対向端面間を一定の間隔を存して対向させた状態で上記ヒンジシート部材によって連結していると共に、隣接する側板の対向側端縁間をファスナ、ボタン等の止め具によって分離可能に連結していることを特徴とする。
【００１２】
このように構成した物品収納箱において、請求項２に係る発明は、底板と前後左右の側板との対向端面を側板の厚み以上の間隔を存して対向させていると共に、底板の上面における四方の縁辺部と、これらの縁辺部にそれぞれ対向する前後左右の側板の内面における縁辺部とをヒンジシート部材によって連結していることを特徴とする。
【００１３】
請求項３に係る発明は、底板及び前後左右の側板は発泡合成樹脂板であり、ヒンジシート部材は布帛であることを特徴とする。
【００１４】
また、請求項４に係る発明は、前後左右の側板の両側端部に、これらの側板の両側端面からヒンジシート部材と同じ幅でもって突出しているファスナテープを取付けてあり、このファスナテープの突出端縁にスライダーによって係脱する務歯を設けていることを特徴とする。
【発明の効果】
【００１５】
請求項１に係る発明によれば、物品収納箱は、矩形状の底板と、この底板の前後左右の縁辺にそれぞれ可撓性を有するヒンジシート部材によって起立、伏倒自在に連結している前後左右の側板とからなり、隣接する側板の対向側端縁間をファスナ、ボタン等の止め具によって分離可能に連結しているので，止め具を閉止することによって底板の四方端縁部上に前後左右の側板を立設させて簡単に物品収納箱を組み立てることができると共に、止め具を開放することによって隣接する側板同士を分離させてこれらの側板を底板に対して展開させた状態となるように、或いは底板上に重ねた状態となるように伏倒させることができ、従って、多数の物品収納箱を嵩張ることなく積載した状態にして保管や運搬等を行うことができる。
【００１６】
さらに、この物品収納箱は、底板上に前後左右の側板を折り重ね可能となるように、底板と前後左右の側板との対向端面間を一定の間隔を存して対向させた状態で上記ヒンジシート部材によって連結しているので、底板上に前後左右の側板を折り重ねた状態に折り畳むことができ、取り扱いや保管等が容易に行えるのは勿論、上記止め具を閉止させて物品収納箱を組み立てると、底板の四方端縁から前後左右の側板をヒンジシート部材の幅に相当する寸法だけ外側方に位置させることができ、従って、物品収納箱の面積を底板の面積よりも一回り大きくすることができて、この物品収納箱を通い箱として使用した場合に、底板上に前後左右の側板を折り重ねてなる複数の折り畳み通い箱を、上記組み立てた空の通い箱内に順次、上下方向に積み重ねながら簡単に収納することができ、空の通い箱の送り返しが円滑に行うことができると共に整然とした状態で保管しておくことができる。
【００１７】
請求項２に係る発明によれば、底板と前後左右の側板との対向端面を側板の厚み以上の間隔を存して対向させていると共に、底板の上面における四方の縁辺部と、これらの縁辺部にそれぞれ対向する前後左右の側板の内面における縁辺部とをヒンジシート部材によって連結しているので、止め具の開放によって分離させた前後左右の側板をヒンジシート部材を屈曲させながら底板上に順次、簡単且つ正確に折り畳むことができる。その際、隣接する側板の対向端面間に露出しているヒンジシート部材は、側板の厚み以上の幅を有しているので、底板上に折り畳んだ前後または左右のいずれか一方の一対の側板上に他方の一対の側板を折り重ねることができ、従って、物品収納箱を嵩張りを生じさせることなくコンパクトに折り畳むことができて、取り扱いや保管、運送等が容易に行うことができる。    
【００１８】
また、請求項３に係る発明によれば、物品収納箱を構成する上記底板及び前後左右の側板は発泡合成樹脂板からなるので、軽量であって取扱い性、耐久性に優れていると共に、底板の四方縁辺に前後左右の側板を連結しているヒンジシート部材は布帛からなるので、物品収納箱の組み立て、折り畳みを繰り返し行っても破損などが生じる虞れが殆どなく、そのため、この物品収納箱を通い箱として使用すれば、長期の使用に供することができる等の最適な機能を発揮することができる。
【００１９】
さらに、請求項４に係る発明によれば、上記前後左右の側板の両側端部に、これらの側板の両側端面からヒンジシート部材と同じ幅でもって突出したファスナテープを取付けてあり、このファスナテープの突出端縁にスライダーによって係脱する務歯を設けているので、物品収納箱を組み立てた際に、底板と前後左右の側板とを連結しているヒンジシート部材及び前後左右の隣接する側板間を連結する上記ファスナテープによって底面の面積及び収納容積を大きくすることができ、このように組み立てた箱内に複数の折り畳み箱を積層状態に円滑に収納することができる。
【図面の簡単な説明】
【００２０】
【図１】物品収納箱を組み立てた状態の斜視図。
【図２】展開した状態の斜視図。
【図３】展開した状態を外面側から見た斜視図。
【図４】物品収納箱の縦断正面図。
【図５】折り畳んだ状態の縦断正面図。
【図６】折り畳んだ状態の縦断側面図。
【図７】空の物品収納箱内に折り畳んだ物品収納箱を収納する状態の斜視図。
【図８】空の物品収納箱内に複数の折り畳んだ物品収納箱を収納した状態の縦断側面図。
【図９】物品収納箱を製造している金型装置の要部の縦断正面面。
【図１０】ヒンジシート部材とファスナテープとを形成する布帛の斜視図。
【図１１】その変形例を示す平面図。
【図１２】この布帛を用いて製造した物品収納箱の下面側から見た展開斜視図。
【図１３】蓋体を設けた物品収納箱の展開図。
【図１４】その折り畳み状態を示す断面図。
【発明を実施するための形態】
【００２１】
本発明の具体的な実施例を図面について説明すると、物品収納箱Ａは、矩形状の底板１と、この底板１の前後左右の縁辺に可撓性を有する帯状のヒンジシート部材6a、6b、6c、6dによってそれぞれ起立、伏倒自在に連結している前後左右の側板２、３、４、５と、隣接する側板の対向端縁間を分離可能に連結しているスライドファスナ７とを備えている。    
【００２２】
これらのスライドファスナ７は、前後左右の側板２〜５の両側端縁にその内端縁部を取付け、且つ、側板の端面から外側方に向かって突設している一定幅を有する帯状のファスナテープ7a、7aと、これらのファスナテープ7a、7aの突出端縁（外端縁部）に設けている務歯7b、7bと、隣接するファスナテープ7a、7aの務歯7b、7bを係脱させるスライダー7cとからなり、スライダー7cを底板１側から引き上げることによって隣接する側板のファスナテープ7a、7aの務歯7c、7cを係合させながら底板１の四方縁辺から前後左右の側板２〜５を起立させて物品収納箱Ａに組み立て、スライダー7cを引き下げることによってスライドファスナ７を開放し、底板１に対して前後左右の側板２〜５をヒンジシート部材6a、6b、6c、6dを介して外方に伏倒させて展開させたり、或いは、底板１上に折り畳み可能に構成している。
【００２３】
上記前後左右の側板２〜５は同一厚みに形成されていると共に、底板１と前後左右の側板２〜５との対向端面間は、図２、図３に示すように展開している状態において、一枚の側板の厚みよりも広い間隔、具体的には一枚の側板の厚みの１〜２倍の間隔を存して対向させてあり、物品収納箱Ａを折り畳む際に、底板１上に前後一対の側板２、３或いは左右一対の側板４、５のいずれか一方の対の側板を折り畳んだのち、これらの側板上に他方の対の側板を折り重ねることができるように、外板１と前後左右の側板２〜５との対向端面間に露出している上記帯状のヒンジシート部材6a、6b、6c、6dの幅を設定している。なお、側板の端面から外側方に向かって突設している上記ファスナテープ7aの幅も、このヒンジシート部材6a、6b、6c、6dと同じ幅に形成されている。
【００２４】
さらにヒンジシート部材6a、6b、6c、6dは、底板１の上面と、物品収納箱Ａに組み立てた際に底板１側に面する前後左右の側板２〜５の内面間を連結している。詳しくは、底板１の上面と前後左右の側板２〜５の内面とにおける対向する端縁部上にヒンジシート部材6a、6b、6c、6dの長辺側の両端縁部を重ね合わせて一体に取り付けてあり、底板１と前後左右の側板２〜５との対向端面間、具体的には底板１の上面側の四方稜角と、前後左右の側板２〜５の内面側における底板１の上記四方稜角との間に帯状のヒンジシート部材6a、6b、6c、6dの幅方向の中央部を露呈させている。
【００２５】
このように、底板１の上面と、底板１に対して外方に伏倒させて展開させた際に底板１の上面に対して面一状となる前後左右の側板２〜５の内面とに亘ってヒンジシート部材6a、6b、6c、6dを設けておけば、前後左右の側板２〜５を底板１上に折り重ねることが可能となるが、底板１の下面と、底板１に対して外方に伏倒させて展開させた際に底板１の下面に対して面一状となる前後左右の側板２〜５の外面とに亘ってヒンジシート部材6a、6b、6c、6dを設けておいてもよい。この場合、外板１と前後左右の側板２〜５との対向端面間に露出しているヒンジシート部材6a、6b、6c、6dの幅が、上記のように側板の厚みの１〜２倍の幅に形成しておくと、底板１の下面側に前後左右の側板２〜５を折り重ねるように折り畳まねばならないが、外板１と前後左右の側板２〜５との対向端面間に露出しているヒンジシート部材6a、6b、6c、6dの幅を側板の厚みの２〜３倍に形成しておくと、前後左右の側板２〜５を底板１上に折り重ねることが可能となる。
【００２６】
底板１や前後左右の側板２〜５は、合成樹脂製板や木製板材等の剛性板、特に、軽量で取扱い性、耐久性に優れた発泡合成樹脂板から形成しておくことが好ましく、また、上記ヒンジシート部材6a、6b、6c、6dやファスナテープ7aは繰り返しの使用に耐えることができるように布帛より形成しておくことが好ましい。
【００２７】
なお、物品収納箱Ａを組み立てた際の前後左右の側板２〜５の高さは、底板１上に折り畳んだ際に、前後の側板２、３の上端部同士や左右側板４、５の上端部同士が重ならない高さとなるように形成されている。
【００２８】
このように構成した折り畳み式の物品収納箱Ａは、図２に示す展開した状態から前後左右の側板２〜５を底板１に対してヒンジシート部材6a、6b、6c、6dを屈曲させながら起立させると共に、スライダー7cを底板１側から引き上げて隣接する側板のファスナテープ7a、7aの務歯7c、7cを係合させれば、図１、図４に示すように物品収納箱Ａに組み立てることができる。
【００２９】
そして、この物品収納箱Ａを例えば通い箱として使用してその内部に衣類等の物品を収納し、目的場所まで運送したのち、空箱を元の場所まで返送する場合、まず、図４において直角に隣接する側板同士を連結しているスライドファスナ７を、スライダー7cの下方への押し下げ操作によって開放したのち、図５、図６に示すように、左右の側板４、５を内方に向かって伏倒させて底板１の両側部上面に折り畳み、さらに、前後の側板２、３をこの左右の側板４、５に直角に重ねるに折り畳む。この際、外板１と前後左右の側板２〜５との対向端面間に露出している上記帯状のヒンジシート部材6a、6b、6c、6dの露出幅が側板の厚みよりも幅広くしているので、前後の側板２、３のヒンジシート部材6a、6bで先に折り畳んだ左右の側板４、５の側端面を被覆しながら折り重ねることができる。なお、底板１上に前後の側板２、３を折り畳んだのち、左右の側板４、５を折り重ねてもよい。
【００３０】
こうして折り畳んだ複数の物品収納箱Ａを図７、図８に示すように、折り畳んでいない空の物品収納箱Ａ内に積層状態に収納する。この際、空の物品収納箱Ａにおいては、底板１の四方縁辺部と前後左右の側板２〜５の下端縁辺部間を連結しているヒンジシート部材6a、6b、6c、6dは、図４に示すように、前後左右の側板２〜５の自重によって底板１の四方端面を被覆するように下方に屈折して対向する側板の内面間がその分だけ狭まっているが、これらの前後左右の側板２〜５の内面に、収納する折り畳み物品収納箱Ａ等からの押圧力が作用すると、底板１の四方縁辺部と前後左右の側板２〜５の下端縁辺部間を連結しているヒンジシート部材6a、6b、6c、6dが水平方向に緊張するように拡げられて前後左右の側板２〜５がその拡がりによって底板１から外側方に移動し、物品収納箱の面積を底板の面積よりも一回り大きくすることができると共に容積も増大してこの空の物品収納箱Ａ内に複数の折り畳んだ物品収納箱Ａを積層状態に簡単に収納することができる。
【００３１】
なお、組み立てた物品収納箱Ａ内に各所物品を収納する場合においても、上記のように物品収納箱Ａの面積、容積を増大させることができ、運搬や保管等が容易に行うことができる。
【００３２】
次に、上記物品収納箱Ａの製造方法を説明する。図９はこの物品収納箱Ａをインサート成形するための金型を示すもので、上下型10、11の対向面において、下型11に、展開した物品収納箱Ａの形状、大きさに等しい凹部を設けてあり、この凹部の底面にはヒンジシート部材6a、6b、6c、6dと、スライドファスナ７を構成する務歯7aを設けたファスナテープ7aとスライダー7cとを配設するための平面井形状に形成された溝13を設けている。
【００３３】
この溝13の深さは、ヒンジシート部材6a、6b、6c、6dとファスナテープ7aとを形成する布帛８の厚みに等しく、この布帛８は図10に示すように、溝13の形状、大きさに等しい井形状に形成されていて、その矩形状の布帛部における互いに平行に対向する布帛部分によって帯状のヒンジシート部材6a、6b、6c、6dが形成され、これらの帯状のヒンジシート部材6a、6b、6c、6dを延長した互いに直角に対向する一定長さの帯状の布帛部によってファスナテープ7a、7aが形成されている。そして、これらのファスナテープ7a、7aの直角に対向する縁辺部に務歯7a、7aを設けていると共に務歯7a、7aを係脱させるためのスライダー7cを装着している。
【００３４】
一方、上型10の平坦な下面における上記溝13に対応する部分にこの溝13の幅よりも狭く、且つ、形成すべき物品収納箱Ａの側板２〜５の厚みよりも僅かに広い幅を有すると共に高さが上記凹部の深さに等しい井形状の突条壁14を突設してあり、上下型10、11を閉止した時に、この突条壁14によって上記凹部を物品収納箱Ａの底板１及び側板２〜５を成形するためのキャビティ12を形成するように構成している。
【００３５】
このように形成した金型を使用し、まず、下型11に設けている井形状の溝13に上記井形状に形成した布帛８を挿入、敷設し、しかるのち、閉型することによって、上型10の下面に突設している井形状の突条壁14の下端面を上記布帛８におけるヒンジシート部材6a、6b、6c、6dの上面に圧接させることによってこの突条壁14の矩形状壁部で囲まれた空間部で物品収納箱Ａの底部形成用キャビティ12a を形成すると共に、この矩形状の壁部の外周端面と布帛８におけるファスナテープ7a、7a上に圧接する互いに直角に連なった壁部及び下型11の凹部の内周壁とによって囲まれた空間部で物品収納箱Ａの側板２〜５の形成用キャビティ12b を形成する。
【００３６】
次いで、上型10に設けているゲート15を通じてこれらのキヤビティ12内に発泡性合成樹脂等の溶融樹脂を充填したのち冷却、硬化させると、物品収納箱Ａの底板１と側板２〜５が成形されると共に、井形状の突条壁14における矩形状の突条壁部の下端面から底部形成用キャビティ12a 内に突出している布帛８におけるヒンジシート部材6a、6b、6c、6dの内周縁部が底板１の下面における外周縁部に貼り付けられた状態となるように固着し、さらに、矩形状の突条壁部の下端面から側板形成用キャビティ12b 内に突設している布帛８におけるヒンジシート部材6a、6b、6c、6dの外周縁部が底板１の外周縁部に平行に対向した四方の側板２〜５の下面における縁辺部に貼り付けられた状態となるように固着すると共に、互いに平行なファスナテープ7a、7aの対向縁辺部が側板２〜５の下面における両側縁辺部に貼り付けられた状態となるように固着してなる展開状態の物品収納箱Ａを得ることができる。
【００３７】
なお、この物品収納箱Ａの製造方法において、ヒンジシート部材6a、6b、6c、6dとファスナテープ7a、7aとを形成するための布帛８としては、井形形状に形成された布帛を使用しているが、図11に示すように、展開した物品収納箱Ａの前後左右方向に幅に等しい矩形状の布帛であって、その四隅部を一辺がファスナテープ7aの長さに等しい正方形状に切除され、その直角に連なる切除端縁部にスライドファスナ７の務歯7bと直角に対向するこれらの務歯7b、7bを係脱させるスライダー7cとを装着してなる布帛8Aを使用してもよい。
【００３８】
このように形成した布帛8Aを使用する場合には、物品収納箱Ａの成形金型として、上記金型において、展開した物品収納箱Ａの形状、大きさに等しい凹部を設けている下型11の底面に、ヒンジシート部材6a、6b、6c、6dやファスナテープ7a、7aを配設する溝13などが設けられていない下型を用いる。その他の構成は上記金型と同じである。
【００３９】
このように構成した金型における下型11の凹部の平坦な底面上に上記布帛8Aを配置したのち閉型し、上記同様に上型10の下面に突設している井形状の突条壁14の下端面を上記布帛8Aの上面に圧接させることによってこの突条壁14の矩形状壁部で囲まれた空間部で物品収納箱Ａの底部形成用キャビティ12a を形成すると共に、この矩形状の壁部の外周端面と布帛8Aにおける上記直角に連なる端縁部上に圧接する互いに直角に連なった壁部及び下型11の凹部の内周壁とによって囲まれた空間部で物品収納箱Ａの側板２〜５の形成用キャビティ12b を形成する。
【００４０】
次いで、上型10に設けているゲート15を通じてこれらのキヤビティ12内に発泡性合成樹脂等の溶融樹脂を充填したのち冷却、硬化させると、物品収納箱Ａの底板１と側板２〜５が成形され、図12に示すように、これらの底板１と側板２〜５との下面に上記布帛8Aが全面的に貼り付けた状態に層着していると共に、底板１の四方の端面とこれらの端面にそれぞれ対向する前後左右の側板２〜５の端面との間に、側板の厚み以上の幅を有する布帛部分が帯状に露出してなるヒンジシート部材6a、6b、6c、6dが設けられ、且つ、側板２〜５の直角に対向する側端から上記ヒンジシート部材6a、6b、6c、6dと同一幅でもって突出した布帛部によってファスナテープ7a、7aを形成してなる物品収納箱Ａを製造することができる。
【００４１】
なお、物品収納箱Ａの製造は、上記のような成形金型によることなく、上記のように形成している布帛８、8Aに、予め、作製しておいた樹脂製或いは木製等からなる底板１と側板２〜５とを貼着することによって物品収納箱Ａを製造してもよい。
【００４２】
次に、図13は本発明の別な実施例である蓋体９を設けている物品収納箱A'の展開図を示すもので、上記物品収納箱Ａにおいて、底板１の四方縁片にヒンジシート部材6a、6b、6c、6dを介して連結している前後左右の側板２〜５におけるいずれか一つの側板、例えば、前側の側板２に上記ヒンジシート部材6a、6b、6c、6dと同一幅を有する帯状のヒンジシート部材6eを介して蓋体９を連結してなるものである。
【００４３】
この蓋体９は、柔軟性を有する布等から形成しておいてもよいが、図においては底板１や側板２〜５と同一材料からなり、一定厚みを有していると共にその前後方向の中央部を前側側板２の前端縁辺に平行となるように前後の蓋片9a、8bに二分割してあり、これらの蓋片9a、9bを適宜幅を有するヒンジシート部材9fによって二つ折り可能に連結している。    
【００４４】
さらに、これらの前後の蓋片9a、9bの両側縁辺と前側蓋片9aの前端縁辺とに、雌雄いずれかの面ファスナ21を取り付けている帯状の布等からなる封止片20を折り曲げ可能に取り付けている一方、後側側板３の外面における後端縁辺部と左右側板４、５の外面における先端縁辺部とに、上記前側蓋片9aの前端縁辺と前後の蓋片9a、9bの両側縁辺に折り曲げ可能に取り付けている封止片20の面ファスナ21にそれぞれ係脱可能な雌雄いずれかの面ファスナ22を取り付けている。
【００４５】
このように構成した展開状態の物品収納箱A'を組み立てるには、まず、上記物品収納箱Ａと同様に前後左右の側板２〜５を底板１に対してヒンジシート部材6a、6b、6c、6dを屈曲させながら起立させると共に、スライダー7cを底板１側から引き上げて隣接する側板のファスナテープ7a、7aの務歯7c、7cを係合させることにより立体に組み立て、次いで、起立した前側側板２の前端にヒンジシート部材6eを介して連結している蓋体９をこのヒンジシート部材6eを折り曲げながら底板１の上方に配して箱の上端開口部を閉止し、蓋体９の前側及び左右の三方の縁辺に突設している帯状封止片20の雌又は雄の面ファスナ21を後側側板３と左右側板４、５の外面に取り付けている雄又は雌の面ファスナ22に係止させることによって組み立てることができる。
【００４６】
また、空になった物品収納箱A'を保管時や運送等において折り畳むには、上記実施例と同様にしてまず、直角に隣接する側板同士を連結しているスライドファスナ７を開放したのち、左右の側板４、５を内方に向かって伏倒させて底板１の両側部上面に折り畳み、さらに、前後の側板２、３をこの左右の側板４、５に直角に重ねるに折り畳んだのち、図14に示すように、蓋体９の前後蓋片9a、9bをヒンジシート部材6fから二つ折りにしながら前側側板２上にヒンジシート部材6eを介して折り重ねれば、コンパクトに折り畳むことができる。
【００４７】
なお、上記蓋体９を柔軟な布等によりなる場合には、分割することなく二つ折り可能になるのでヒンジシート部材6e等は不要となる。また、上記いずれの実施例においても、物品収納箱Ａ、A'の周壁を形成する側板２〜５における隣接する側板の対向端縁間をスライドファスナ７によって分離可能に連結しているが、スライドファスナ７に限定されることなく、面ファスナやボタン等の止め具を採用しても本発明を満足させることができる。
【符号の説明】
【００４８】
Ａ  物品収納箱
１  底板
２〜５  側板
6a〜6d  ヒンジシート部材
７  スライドファスナ
7a  ファスナテープ
7b  務歯
7c  スライダー
【図１】
2016147674.tif 000003
【図２】
2016147674.tif 000004
【図３】
2016147674.tif 000005
【図４】
2016147674.tif 000006
【図５】
2016147674.tif 000007
【図６】
2016147674.tif 000008
【図７】
2016147674.tif 000009
【図８】
2016147674.tif 000010
【図９】
2016147674.tif 000011
【図１０】
2016147674.tif 000012
【図１１】
2016147674.tif 000013
【図１２】
2016147674.tif 000014
【図１３】
2016147674.tif 000015
【図１４】
2016147674.tif 000016